(57)【特許請求の範囲】
【請求項１】
防水床パン若しくは浴槽床の下面に下向きに突設した支持脚の下端部を、上下の一対の剛性プレート間にゴム弾性体を挟み込んだ形態の防振ゴム部材を介して躯体床に載置した上、該防振ゴム部材を接着剤で該躯体床に接着固定して成る構造の防振支持構造であって
前記防振ゴム部材における下側の剛性プレートを前記ゴム弾性体よりも水平方向に大きく延び出す形態とするとともに、少なくとも荷重作用時における該防振ゴム部材の該ゴム弾性体の高さと実質上同じ高さを有し、且つ内径が該ゴム弾性体の外径よりも大きい筒形状に形成されたカバー本体と、該カバー本体の上端部に形成された内向きの鍔状部とを有する、該防振ゴム部材とは別体のカバーを、該ゴム弾性体の外周面を全体的に覆う状態で且つ該鍔状部を該防振ゴム部材の上側の剛性プレートの外周縁部上面に対向させる状態で装着し、該カバーの外側において前記下側の剛性プレートを接着剤で前記躯体床に接着固定するようになし、且つ該カバーには周方向の複数個所に内向きに起立するリブを形成して、該リブの内端を前記防振ゴム部材の外周面に当接させることによって、該カバーの中心と該防振ゴム部材の中心を合わせるようになすとともに、該リブ以外の部分において該カバーと前記ゴム弾性体との間に所定の隙間を形成確保したことを特徴とする浴室における防水床部の防振支持構造。
【請求項２】
防水床パン若しくは浴槽床の下面に下向きに突設した支持脚の下端部を、上下の一対の剛性プレート間にゴム弾性体を挟み込んだ形態の防振ゴム部材を介して躯体床に載置した上、該防振ゴム部材を接着剤で該躯体床に接着固定して成る構造の防振支持構造であって
前記防振ゴム部材における下側の剛性プレートを前記ゴム弾性体よりも水平方向に大きく延び出す形態とするとともに、少なくとも荷重作用時における該防振ゴム部材の該ゴム弾性体の高さと実質上同じ高さを有し、且つ内径が該ゴム弾性体の外径よりも大きい筒形状に形成されたカバー本体と、該カバー本体の上端部に形成された内向きの鍔状部とを有する、該防振ゴム部材とは別体のカバーを、該ゴム弾性体の外周面を全体的に覆う状態で且つ該鍔状部を該防振ゴム部材の上側の剛性プレートの外周縁部上面に対向させる状態で装着し、該カバーの外側において前記下側の剛性プレートを接着剤で前記躯体床に接着固定するようになし、更に該カバーの前記防振ゴム部材からの抜けを防止する抜け防止手段を設けたことを特徴とする浴室における防水床部の防振支持構造。
【発明の詳細な説明】
【０００１】
【発明の属する技術分野】
この発明は浴室における防水床部の支持構造に関し、詳しくは防振ゴム部材を用いた防振支持構造に関する。
【０００２】
【従来の技術】
浴室にあっては、従来より浴槽床の下面より或いは防水床パンの下面より支持脚（一般に高さ調節機能を有する支持ボルト）を下向きに突設してこれを躯体床に接地し、その接地部分を接着剤で躯体床に接着固定することで、浴槽或いは防水床パンを設置することが行われている。
【０００３】
ところで、近年においては浴槽水をポンプにて外部循環させた上、気泡混じりの噴流として浴槽内に噴出する気泡浴槽が広く用いられるようになってきている。
而してこの気泡浴槽の場合、浴槽が振動源となってその振動が上記支持脚を介して階下にも伝わり、階下において振動，騒音が発生するといった問題が指摘されていた。
或いはまた、その他にも防水床パン上における入浴者の動き等によって振動が発生し、これが階下に伝わって振動，騒音の原因になるといった問題が生じていた。
【０００４】
その対策として、支持脚と躯体床との間に防振ゴム部材を介在させ、その防振ゴム部材によって支持脚から躯体床に伝わる振動を吸収するといったことが行われている。
この場合、防振ゴム部材を接着剤で躯体床に接着固定することとなるが、その際、防振ゴム部材のゴム弾性体が接着剤の内部に埋まってしまうと、或いはまたゴム弾性体に接着剤が塗り付けられてしまうと、その後の接着剤の硬化によって防振ゴム部材の防振性能が損なわれてしまう問題を生ずる。
【０００５】
そこで従来、この問題を解決するため図１０，１１に示すような防振支持構造が提案されている。
先ず図１０の例（実開平５−８５９４４）において、２００は支持脚としての支持ボルト２０２と躯体床２０４との間に介設された防振ゴム部材で、この防振ゴム部材２００は、ゴム弾性体２０６と上側及び下側の一対の剛性プレートとしての金属プレート２０８及び２１０とから成っており、そのゴム弾性体２０６の弾性変形に基づいて振動吸収作用を行うようになっている。
【０００６】
このゴム弾性体２０６には堰止部２１２が一体に成形されており、その堰止部２１２によって、接着剤２１３により防振ゴム部材２００と躯体床２０４とを接着固定する際に、接着剤２１３がゴム弾性体２０６における本体部分に塗り付けられてしまうのを防止するようにしている。
尚、２１４は支持ボルト２０２の頭部であって、上側の金属プレート２０８に溶接固定されている。
【０００７】
一方、図１１に示す例（特開平７−３２４３６０）は、防振ゴム部材２１６における下側金属プレート２１８に上向きの曲起し部２２０を設けて、その曲起し部２２０で囲まれた空間にブロック状のゴム弾性体２０６の下端部を弾性的に嵌め込み、そしてその曲起し部２２０の堰止作用によって、接着剤２１３がゴム弾性体２０６に付着し、或いはゴム弾性体２０６が接着剤２１３内部に埋め込まれてしまうのを防止するようにしている。
【０００８】
【発明が解決しようとする課題】
ところで、図１２に示しているように防水床パン（又は浴槽床）２２２を躯体床２０４に設置する際に二方が壁Ｗで囲まれているような場合、コーナー側奥部に位置する支持ボルト２０２と躯体床２０４との間の防振ゴム部材２００，２１６に、具体的には防振ゴム部材２００，２１６の下部に接着剤２１３を塗ってこれを躯体床２０４に接着固定する作業は困難な作業であって、どうしても接着剤２１３を余分に塗り過ぎてしまう傾向にあり、従って上記図１０，１１のような支持構造では接着剤２１３が防振ゴム部材２００，２１６におけるゴム弾性体２０６に付着したり或いはゴム弾性体２０６が接着剤２１３内部に埋まってしまうのを十分に防止できない恨みがあった。
【０００９】
【課題を解決するための手段】
本願の発明の防振支持構造はこのような課題を解決するために案出されたものである。
而して請求項１の防振支持構造は、防水床パン若しくは浴槽床の下面に下向きに突設した支持脚の下端部を、上下の一対の剛性プレート間にゴム弾性体を挟み込んだ形態の防振ゴム部材を介して躯体床に載置した上、該防振ゴム部材を接着剤で該躯体床に接着固定して成る構造の防振支持構造であって、前記防振ゴム部材における下側の剛性プレートを前記ゴム弾性体よりも水平方向に大きく延び出す形態とするとともに、少なくとも荷重作用時における該防振ゴム部材の該ゴム弾性体の高さと実質上同じ高さを有し、且つ内径が該ゴム弾性体の外径よりも大きい筒形状に形成されたカバー本体と、該カバー本体の上端部に形成された内向きの鍔状部とを有する、該防振ゴム部材とは別体のカバーを、該ゴム弾性体の外周面を全体的に覆う状態で且つ該鍔状部を該防振ゴム部材の上側の剛性プレートの外周縁部上面に対向させる状態で装着し、該カバーの外側において前記下側の剛性プレートを接着剤で前記躯体床に接着固定するようになし、且つ該カバーには周方向の複数個所に内向きに起立するリブを形成して、該リブの内端を前記防振ゴム部材の外周面に当接させることによって、該カバーの中心と該防振ゴム部材の中心を合わせるようになすとともに、該リブ以外の部分において該カバーと前記ゴム弾性体との間に所定の隙間を形成確保したことを特徴とする。
【００１０】
請求項２の防振支持構造は、防水床パン若しくは浴槽床の下面に下向きに突設した支持脚の下端部を、上下の一対の剛性プレート間にゴム弾性体を挟み込んだ形態の防振ゴム部材を介して躯体床に載置した上、該防振ゴム部材を接着剤で該躯体床に接着固定して成る構造の防振支持構造であって、前記防振ゴム部材における下側の剛性プレートを前記ゴム弾性体よりも水平方向に大きく延び出す形態とするとともに、少なくとも荷重作用時における該防振ゴム部材の該ゴム弾性体の高さと実質上同じ高さを有し、且つ内径が該ゴム弾性体の外径よりも大きい筒形状に形成されたカバー本体と、該カバー本体の上端部に形成された内向きの鍔状部とを有する、該防振ゴム部材とは別体のカバーを、該ゴム弾性体の外周面を全体的に覆う状態で且つ該鍔状部を該防振ゴム部材の上側の剛性プレートの外周縁部上面に対向させる状態で装着し、該カバーの外側において前記下側の剛性プレートを接着剤で前記躯体床に接着固定するようになし、更に該カバーの前記防振ゴム部材からの抜けを防止する抜け防止手段を設けたことを特徴とする。
【００１１】
【作用及び発明の効果】
上記のように請求項１の防振支持構造は、防振ゴム部材とは別体を成し、全体として筒形状を成すとともに上端部に内向きの鍔状部を有するカバーを、ゴム弾性体の外周面を全体的に覆う状態で防振ゴム部材に装着し、そのカバーの外側において防振ゴム部材における下側の剛性プレートを接着剤で躯体床に接着固定するようになしたもので、この防振支持構造の場合、防振ゴム部材とは別体のカバーがゴム弾性体の外側を全高さに亘って且つ全周に亘って覆った状態にあるため、接着剤によって防振ゴム部材における下側の剛性プレートを躯体床に接着固定する際、接着剤がゴム弾性体に付着するのを有効に防止することができる。
【００１２】
従ってゴム弾性体に対する接着剤の付着によって、防振ゴム部材の防振性能が低下するのを効果的に回避することができる。
加えて上記カバーは上端部に内向きの鍔状部を有しているため、かかるカバーを防振ゴム部材に対して簡単に装着することができる。
【００１３】
ここで上記内向きの鍔状部は、上側の剛性プレートの外周縁部に沿って周方向に連続した環状となすことが望ましい。
このようにした場合、鍔状部が上側の剛性プレートの外周縁部を周方向に沿ってその上面側から覆った状態となり、接着剤が上側の剛性プレートの上面側から下側のゴム弾性体に回り込んで付着するといったことを防止することができる。
尚、このカバーは例えばポリエチレン，ポリプロピレン等の樹脂やゴム或いはその他の材料で形成することができる。
【００１４】
この請求項１の防振支持構造ではまた、上記カバーに対して周方向の複数個所に内向きのリブを形成し、そのリブの内端を防振ゴム部材の外周面に当接させることで、カバーと防振ゴム部材との中心を合わせるようにし、そしてそのリブ以外の部分においてカバーとゴム弾性体との間に隙間を形成確保するようになしている。
この防振支持構造の場合、リブの当接作用によってカバーを防振ゴム部材に対して容易に中心合わせすることができ、適正な位置においてカバーを防振ゴム部材に対して装着することができるとともに、そのリブがスペーサ部材として働き、カバーとゴム弾性体との間に隙間が形成確保されることから、ゴム弾性体の十分な弾性変形が許容され、従ってゴム弾性体の弾性変形による防振作用を十分に行わせることができる。
ここでリブは防振ゴム部材におけるゴム弾性体に当接させるようにすることができる。
【００１５】
次に請求項２の防振支持構造は、上記カバーの防振ゴム部材からの抜けを防止する抜け防止手段を設けたもので、この防振支持構造によれば、防振ゴム部材に装着したカバーが防振ゴム部材から抜けてしまうのを防止することができ、従って予めカバーを防振ゴム部材に装着した状態で防水床パン或いは浴槽床を躯体床に設置する際に、その作業過程で誤ってカバーが防振ゴム部材から抜けてしまうといったことがなく、それ故作業位置において直接目視できないような奥部の支持脚ないし防振ゴム部材を接着剤で躯体床に接着固定する際にも、そのカバーによる接着剤の付着防止作用を確実に働かせることができる。
【００１６】
尚、この場合において抜け防止手段は、上記リブの内端に形成された、下方に進むにつれて防振ゴム部材の中心側に傾斜するリブ側傾斜面と、そのリブ側傾斜面に対応する形状をなし、リブ側傾斜面に接するゴム側傾斜面とで構成することができる。
【００１７】
或いはまたこの抜け防止手段を、上記リブに形成された凹係合部と、ゴム弾性体に形成され、その凹係合部に弾性的に係合する突係合部とで構成することができる。
【００１８】
【実施例】
次に本発明の実施例を図面に基づいて詳しく説明する。
図１において１０は防水床パンであって、洗い場１２と浴槽据置部１４とを有し、その浴槽据置部１４上に浴槽１５が据え置かれるようになっている。
ここで浴槽１５は、浴槽床１７と浴槽周壁１９とフランジ部２１とを備えている。
【００１９】
防水床パン１０の下面からは複数の支持脚としての支持ボルト１６が下向きに突設されており、これら支持ボルト１６が後述の防振ゴム部材１８（図２参照）を介して躯体床２０に接地され、その接地部が接着剤２２にて躯体床２０に接着固定されている。
【００２０】
図２に示しているように、防振ゴム部材１８はその本体たるブロック状のゴム弾性体２８と、上側及び下側の一対の剛性プレートとしての上側金属プレート２４及び下側金属プレート２６とを加硫接着により一体化した形態のものである。
【００２１】
ここでゴム弾性体２８は、内側に空洞部３０を有するドーナツリング形状をなしており、これに対応して下側金属プレート２６も中心部に円形穴３２を有するリング形状をなしている。
【００２２】
一方上側金属プレート２４は、空洞部３０に対応する部分が段下がり部３４とされている。その段下がり部３４の上面には上記支持ボルト１６の頭部３６が当接させられ、接着剤２２によってかかる頭部３６を含む支持ボルト１６の下端部が上側金属プレート２４に接着固定されている。
【００２３】
下側金属プレート２６は、図３に示しているように平面形状が四角形状をなし、且つゴム弾性体２８よりも水平方向に大きく延び出す形態をなしている。そしてその外周部分が、厳密には後述のカバー３８よりも外側に位置する外周部分が、図２に示しているように接着剤２２にて躯体床２０に接着固定されている。
尚、下側金属プレート２６にはその四隅に貫通穴２７が形成されており、その貫通穴２７内部に接着剤２２が入り込む形態とされている。
【００２４】
図２及び図３において、３８はカバーであって筒形状且つ若干末広がり（下広がり）形状のカバー本体４０と、その上端部に形成された内向きの鍔状部４２とからなっている。
【００２５】
ここでカバー本体４０は、その高さが防水床パン１０及び浴槽１５設置状態下でゴム弾性体２８を全高さに亘ってその外周面を覆うような高さとされている。
【００２６】
また内向きの鍔状部４２は、防振ゴム部材１８における上側金属プレート２４の上面外周縁部を連続して覆うように周方向に連続した環状をなしている。
【００２７】
尚カバー３８は、図４に示しているように防水床パン１０及び浴槽１５を設置する前の状態、即ちそれらの荷重によって防振ゴム部材１８におけるゴム弾性体２８が弾性変形する前の状態において、カバー３８と下側金属プレート２６との間に所定の隙間Ｓが生じるような高さで形成されている。
【００２８】
而して防水床パン１０及び浴槽１５を設置した段階で、ゴム弾性体２８の弾性変形によりカバー３８の下端が下側金属プレート２６の上面にほぼ接する状態となる。隙間Ｓが予めそのように選定されているのである。
【００２９】
尤も、図５（Ａ）に示しているように上記設置状態においてカバー３８の下端と下側金属プレート２６との間に尚微小な隙間が生じていても良い。或いは（Ｂ）に示しているように、カバー３８が下側金属プレート２６に当接した上、内向きの鍔状部４２と上側金属プレート２４との間に微小な隙間が生じるようになしても良い。
【００３０】
本例の防振支持構造に基づき、防水床パン１０を躯体床２０上に設置する場合、予め防振ゴム部材１８の上側からカバー３８を嵌合せ装着して、防振ゴム部材１８におけるゴム弾性体２８の外周面及び上側金属プレート２４の外周縁部を、カバー３８のカバー本体４０及び鍔状部４２が覆った状態としておく。
【００３１】
そして防水床パン１０の下面に突設された複数の支持ボルト１６を、防振ゴム部材１８を介して躯体床２０上に接地する。そして支持ボルト１６の頭部３６を含む下端部を防振ゴム部材１８の上側金属プレート２４に接着剤３２で接着固定し、また併せて防振ゴム部材１８の下側金属プレート２６と躯体床２０とを、接着剤２２にて接着固定する。
【００３２】
その際、本例の防振支持構造では、ゴム弾性体２８の外周面を全体的に覆う状態で防振ゴム部材１８に装着したカバー３８により、接着剤２２がゴム弾性体１８に付着するのが防止される。
従って本例の防振支持構造によれば、ゴム弾性体２８に対する接着剤２２の付着によって、防振ゴム部材１８の防振性能が低下するのを回避することができる。
【００３３】
また本例においては、鍔状部４２が上側金属プレート２４の外周縁部をその上面側から覆っているため、接着剤２２が上側金属プレート２４の上面側から下側のゴム弾性体２８に回り込んで付着するといったことを防止できる。
【００３４】
図６には、上記実施例におけるカバー３８の内周面に、その周方向の所定個所に且つカバー３８の中心方向に向かって起立する形態の複数のリブ４４が形成された変形例が示されている。
このリブ４４は、カバー３８の下端から上端まで、即ちカバー本体４０の下端から鍔状部４２までの高さで形成されている。
【００３５】
この図６の例においては、リブ４４の内端が防振ゴム部材１８におけるゴム弾性体２８の外周面に当接し、カバー本体４０の内周面とゴム弾性体２８の外周面との間に所定の隙間を形成する。
【００３６】
従って本例においては、その隙間によってゴム弾性体２８の弾性変形が確保され、防振作用が十分に行われる。
またカバー３８を防振ゴム部材１８に装着する際には、リブ４４とゴム弾性体２８との当接作用によって容易にそれぞれの中心を合わせて装着することができ、従って適正な位置においてカバー３８を防振ゴム部材１８に装着することができる。
【００３７】
図７，８，９には、図６の例の変形例がそれぞれ示されている。
図７の例においては、リブ４６の内端面が下方に進むにつれて中心側に傾斜している。即ちリブ４６の内端にリブ側傾斜面４８が形成されている。
一方ゴム弾性体２８の外周面は、上記リブ側傾斜面４８に対応する、即ち下方に進むにつれて中心側に傾斜するゴム側傾斜面５０とされている。
【００３８】
この例においても、リブ４６とゴム弾性体２８との当接、詳しくはリブ側傾斜面４８とゴム側傾斜面５０との当接によって、カバー本体４０の内周面とゴム弾性体２８の外周面との間に所定の隙間が形成確保できるとともに、カバー３８を防振ゴム部材１８に装着する際には、容易にそれぞれの中心を合わせて装着することができる。
【００３９】
またこの例においては、リブ側傾斜面４８とゴム側傾斜面５０との当接作用によって、カバー３８の防振ゴム部材１８からの抜け防止がなされている。即ち本例ではこれらリブ側傾斜面４８及びゴム側傾斜面５０が抜け防止手段を構成している。
【００４０】
図８の例においては、リブ５２の内端の高さ方向の略中央部が半円形状にくぼんでおり、即ちリブ５２の内端に凹係合部５４が形成されている。一方ゴム弾性体２８の外周面には、上記凹係合部５４に対応する形状をなし、且つ凹係合部５４に係合すべき突係合部５６が周方向に環状に形成されている。
【００４１】
この例においてもリブ５２とゴム弾性体２８との当接、詳しくはリブ５２の内端及びそこに形成された凹係合部５４と、ゴム弾性体２８の外周面及びそこに形成された突係合部５６との当接によって、カバー本体４０の内周面とゴム弾性体２８の外周面との間に所定の隙間が形成確保できるとともに、カバー３８を防振ゴム部材１８に装着する際には、容易にそれぞれの中心を合わせて装着することができる。
【００４２】
またこの例においては、凹係合部５４と突係合部５６との弾性係合作用によって、カバー３８の防振ゴム部材１８からの抜け防止がなされている。即ち本例ではこれら凹係合部５４及び突係合部５６が抜け防止手段を構成している。
【００４３】
図９の例では、カバー本体４０の下端に且つ周方向の所定個所に外向きの突出部６０が形成されているとともに、この突出部６０の下面に下向きの突起６２が形成されている。
一方、防振ゴム部材１８の下側金属プレート２６には、カバー３８の装着時において上記突起６２が嵌入されるべき嵌込穴６４が形成されている。
【００４４】
この例においては、上記突起６２を嵌込穴６４に嵌入させつつカバー３８と防振ゴム部材１８との装着が行われる。
つまりカバー３８を防振ゴム部材１８に装着する際には、突起６２の嵌込穴６４への嵌入によって周方向の相対位置を規定することができ、また装着状態のカバー３８及び防振ゴム部材１８を防水床パン１０上に設置する際には、周方向のずれを防止した状態でその設置作業を行うことができる。
即ちこの例においては、突起６２と嵌込穴６４とがずれ防止手段を構成している。
【００４５】
以上本発明の実施例を詳述したがこれらはあくまで一例示であって、例えば浴槽床の下面から直接支持脚が突設されていて、その支持脚が防振ゴム部材を介して躯体床に接地された上で、その接地部を接着剤で接着固定する形態のものにおいても本発明は適用可能であるなど、本発明はその主旨を逸脱しない範囲において種々変更を加えた形態で構成可能である。
【図面の簡単な説明】
【図１】本発明の一実施例である防水床パンの防振支持構造を示す図である。
【図２】図１の防振支持構造の要部を拡大して示す断面図である。
【図３】図１の防振支持構造における防振ゴム部材とカバーとを示す図である。
【図４】図３の防振ゴム部材に対してカバーを装着した状態を示す図である。
【図５】防水床パン及び浴槽が設置された状態での防振ゴム部材とカバーとの状態を示す図である。
【図６】本発明の別の実施例を示す図である。
【図７】本発明の更に別の実施例を示す図である。
【図８】本発明の更に別の実施例を示す図である。
【図９】本発明の更に別の実施例を示す図である。
【図１０】従来の防振支持構造を示す図である。
【図１１】図１０とは別の従来の防振支持構造を示す図である。
【図１２】図１０，１１の従来の防振支持構造における不具合を説明するための図である。
【符号の説明】
１０  防水床パン
１６  支持ボルト
１７  浴槽床
１８  防振ゴム部材
２０  躯体床
２２  接着剤
２４  上側金属プレート（剛性プレート）
２６  下側金属プレート（剛性プレート）
２８  ゴム弾性体
３８  カバー
４０  カバー本体
４２  鍔状部
４４，４６，５２  リブ
４８  リブ側傾斜面（抜け防止手段）
５０  ゴム側傾斜面（抜け防止手段）
５４  凹係合部（抜け防止手段）
５６  突係合部（抜け防止手段）
６２  突起（ずれ防止手段）
６４  嵌込穴（ずれ防止手段）
【図１】
0003611936.tif 000002
【図２】
0003611936.tif 000003
【図３】
0003611936.tif 000004
【図４】
0003611936.tif 000005
【図５】
0003611936.tif 000006
【図６】
0003611936.tif 000007
【図７】
0003611936.tif 000008
【図８】
0003611936.tif 000009
【図９】
0003611936.tif 000010
【図１０】
0003611936.tif 000011
【図１１】
0003611936.tif 000012
【図１２】
0003611936.tif 000013